(57)【要約】  高精度のＭＡＧ間の時刻同期を必要とせずに、移動端末のＭＡＧ切替え時にＬＭＡで登録通知メッセージの順序逆転を簡単に検出可能なプロキシモバイルＩＰ制御装置を提供する。移動端末（１）は、アクセス認証機能（１２）と連携した時刻管理・通知手段（１４）を有する。アクセスゲートウェイ（２）は、アクセス認証機能（２１）及びプロキシモバイルＩＰ登録手段（２２）と連携した時刻情報取得・管理手段（２３）を有する。モビリティアンカー（３）は、プロキシモバイルＩＰ登録手段（３１）と連携した時刻情報取得・管理手段（３２）を有する。アクセスゲートウェイ（２）は、プロキシモバイルＩＰ登録手段（２２）にてアクセス認証手順によって移動端末から取得した時刻情報を登録通知メッセージに載せてモビリティアンカー（３）に通知する。（図１）
2009031616.tif 000002
【特許請求の範囲】
【請求項１】
プロキシモバイルＩＰ（Ｉｎｔｅｒｎｅｔ  Ｐｒｏｔｏｃｏｌ）通信におけるアクセス認証の際に、アクセスゲートウェイ側に、自装置側で管理している時刻情報を通知する時刻管理・通知手段を備える移動端末と、
前記プロキシモバイルＩＰ通信におけるプロキシモバイルＩＰ登録を行う際に、モビリティアンカー側に、前記移動端末から受信した時刻情報を登録通知メッセージに載せて通知する時刻情報取得・管理手段を備えるアクセスゲートウェイと、
プロキシモバイルＩＰ登録を行うプロキシモバイルＩＰ登録手段に対し、前記時刻情報を含む登録通知メッセージを通知する時刻情報取得・管理手段を備えるモビリティアンカーと、を含むプロキシモバイルＩＰシステム。
【請求項２】
前記モビリティアンカーは、前記アクセスゲートウェイから前記登録通知メッセージに載せて通知された時刻情報を基に前記登録通知メッセージの順序判定を行う請求項１記載のプロキシモバイルＩＰシステム。
【請求項３】
前記モビリティアンカーは、保存している時刻情報よりも古い時刻情報の登録通知メッセージを受信した場合、今回の時刻情報を保存すると同時に、エラーを前記アクセスゲートウェイに通知し、前記移動端末の時刻情報を再取得する請求項１または請求項２記載のプロキシモバイルＩＰシステム。
【請求項４】
前記移動端末は、前記時刻情報の代わりに接続回数を示すシーケンス番号を通知する請求項１から請求項３のいずれか記載のプロキシモバイルＩＰシステム。
【請求項５】
プロキシモバイルＩＰ通信におけるプロキシモバイルＩＰ登録を行う際に、モビリティアンカー側に、移動端末から受信した時刻情報を登録通知メッセージに載せて通知する時刻情報取得・管理手段を備えるアクセスゲートウェイ。
【請求項６】
プロキシモバイルＩＰ登録を行うプロキシモバイルＩＰ登録手段と、
前記プロキシモバイルＩＰ登録手段に対し、前記時刻情報を含む登録通知メッセージを通知する時刻情報取得・管理手段を備えるモビリティアンカー。
【請求項７】
前記登録通知メッセージに載せて通知された時刻情報を基に前記登録通知メッセージの順序判定を行う請求項６記載のモビリティアンカー。
【請求項８】
保存している時刻情報よりも古い時刻情報の登録通知メッセージを受信した場合、今回の時刻情報を保存すると同時に、エラーを前記アクセスゲートウェイに通知し、前記移動端末の時刻情報を再取得する請求項６または請求項７記載のモビリティアンカー。
【請求項９】
プロキシモバイルＩＰ（Ｉｎｔｅｒｎｅｔ  Ｐｒｏｔｏｃｏｌ）通信におけるアクセス認証の際に、アクセスゲートウェイ側に、自装置側で管理している時刻情報を通知する時刻管理・通知手段を備える移動端末。
【請求項１０】
前記時刻情報の代わりに接続回数を示すシーケンス番号を通知する請求項９記載の移動端末。
【請求項１１】
プロキシモバイルＩＰ（Ｉｎｔｅｒｎｅｔ  Ｐｒｏｔｏｃｏｌ）通信におけるアクセス認証の際に、移動端末が、アクセスゲートウェイ側に、自装置側で管理している時刻情報を通知し、
前記プロキシモバイルＩＰ通信におけるプロキシモバイルＩＰ登録を行う際に、前記アクセスゲートウェイが、モビリティアンカー側に、前記移動端末から受信した時刻情報を登録通知メッセージに載せて通知し、
前記モビリティアンカーが、プロキシモバイルＩＰ登録を行うプロキシモバイルＩＰ登録手段に対し、前記時刻情報を含む登録通知メッセージを通知する登録通知メッセージ順序判定方法。
【請求項１２】
前記モビリティアンカーは、前記アクセスゲートウェイから前記登録通知メッセージに載せて通知された時刻情報を基に前記登録通知メッセージの順序判定を行う請求項１１記載の登録通知メッセージ順序判定方法。
【請求項１３】
前記モビリティアンカーは、保存している時刻情報よりも古い時刻情報の登録通知メッセージを受信した場合、今回の時刻情報を保存すると同時に、エラーを前記アクセスゲートウェイに通知し、前記移動端末の時刻情報を再取得する請求項１１または請求項１２記載の登録通知メッセージ順序判定方法。
【請求項１４】
前記移動端末が、前記時刻情報の代わりに接続回数を示すシーケンス番号を通知する請求項１１から請求項１３のいずれか記載の登録通知メッセージ順序判定方法。
【請求項１５】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムであって、  前記移動端末は、自装置の時刻情報を管理しかつ前記プロキシモバイルＩＰ通信におけるアクセス認証を行うアクセス認証機能と連携した時刻管理・通知手段を有し、
前記アクセスゲートウェイは、前記移動端末の時刻情報を取得しかつ前記アクセス認証機能及び前記登録通知メッセージにて前記プロキシモバイルＩＰ通信におけるプロキシモバイルＩＰ登録を行うプロキシモバイルＩＰ登録手段と連携した時刻情報取得・管理手段を有し、
前記モビリティアンカーは、前記移動端末の時刻情報を取得しかつ前記登録通知メッセージにて前記プロキシモバイルＩＰ通信におけるプロキシモバイルＩＰ登録を行うプロキシモバイルＩＰ登録手段と連携した時刻情報取得・管理手段を有し、
前記アクセスゲートウェイは、前記プロキシモバイルＩＰ登録手段にてアクセス認証手順によって前記移動端末から取得した時刻情報を前記登録通知メッセージに載せて前記モビリティアンカーに通知することを特徴とするプロキシモバイルＩＰシステム。
【請求項１６】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムに用いる登録通知メッセージ順序判定方法であって、
前記移動端末に、自装置の時刻情報を管理しかつ前記プロキシモバイルＩＰ通信におけるアクセス認証を行うアクセス認証機能と連携した時刻管理・通知手段を設け、
前記アクセスゲートウェイに、前記移動端末の時刻情報を取得しかつ前記アクセス認証機能及び前記登録通知メッセージにて前記プロキシモバイルＩＰ通信におけるプロキシモバイルＩＰ登録を行うプロキシモバイルＩＰ登録手段と連携した時刻情報取得・管理手段を設け、
前記モビリティアンカーに、前記移動端末の時刻情報を取得しかつ前記登録通知メッセージにて前記プロキシモバイルＩＰ通信におけるプロキシモバイルＩＰ登録を行うプロキシモバイルＩＰ登録手段と連携した時刻情報取得・管理手段を設け、
前記アクセスゲートウェイが、前記プロキシモバイルＩＰ登録手段にてアクセス認証手順によって前記移動端末から取得した時刻情報を前記登録通知メッセージに載せて前記モビリティアンカーに通知することを特徴とする登録通知メッセージ順序判定方法。
【発明の詳細な説明】
【技術分野】
【０００１】
（関連出願についての記載）
本願は、先の日本特許出願２００７−２２９６２８号（２００７年  ９月  ５日出願）の優先権を主張するものであり、前記先の出願の全記載内容は、本書に引用をもって繰込み記載されているものとみなされる。
本発明はプロキシモバイルＩＰシステム、アクセスゲートウェイ、モビリティアンカー及びそれらに用いる登録通知メッセージ順序判定方法に関し、特に通信ネットワークを介して移動端末の位置管理を行うプロキシモバイルＩＰ（Ｉｎｔｅｒｎｅｔ  Ｐｒｏｔｏｃｏｌ）通信における登録通知メッセージの順序判定を行うプロキシモバイルＩＰシステムに関する。
【背景技術】
【０００２】
これまでは携帯電話網の方式毎に別々の移動管理制御方式が用いられているが、各方式のパケット網への転換においてＩＰ化が検討されている。また、異なる無線ネットワークメディア間でも相互運用できるような方式が望まれている。【０００３】
そのため、携帯電話網やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網等の移動管理制御方式についてＩＥＴＦ（Ｉｎｔｅｒｎｅｔ  Ｅｎｇｉｎｅｅｒｉｎｇ  Ｔａｓｋ  Ｆｏｒｃｅ）で標準化を行っているプロキシモバイルＩＰ方式で実現することが検討されている。【０００４】
プロキシモバイルＩＰ方式によるシステムの構成例を図６に示す。図６において、当該システムは、ＭＮ（Ｍｏｂｉｌｅ  Ｎｏｄｅ）５と、ＭＡＧ（Ｍｏｂｉｌｅ  Ａｃｃｅｓｓ  Ｇａｔｅｗａｙ：モバイルアクセスゲートウェイ）（１）６−１，ＭＡＧ（２）６−２と、ＬＭＡ（Ｌｏｃａｌｉｚｅｄ  Ｍｏｂｉｌｉｔｙ  Ａｎｃｈｏｒ：ローカライズドモビリティアンカー）７とから構成されている。ＭＮ５は、ＭＡＧ（１）６−１を経由してＬＭＡ７に接続する無線通信区間Ｒａｄｉｏ１と、ＭＡＧ（２）６−２を経由してＬＭＡ７に接続する無線通信区間Ｒａｄｉｏ２とにて通信が可能となっている。【０００５】
モバイルＩＰ方式は、移動端末が登録通知メッセージを使って移動先のネットワークに依存した気付けアドレスをホームエージェントに登録することにより、ホームエージェントが移動端末のホームアドレス宛のＩＰパケットを気付けアドレスに転送することを実現している。【０００６】
しかしながら、モバイルＩＰ方式を携帯電話網に適用する場合には、移動端末にモバイルＩＰ制御機能が必要であるため、モバイルＩＰ制御機能を持たない移動端末の移動管理を行えないという課題、モバイルＩＰｖ４（Ｉｎｔｅｒｎｅｔ  Ｐｒｏｔｏｃｏｌ  ｖｅｒｓｉｏｎ  ４）のコロケート気付アドレス方式やモバイルＩＰｖ６（Ｉｎｔｅｒｎｅｔ  Ｐｒｏｔｏｃｏｌ  ｖｅｒｓｉｏｎ  ６）方式では、無線通信区間でＩＰカプセル化通信が必要なためにＩＰヘッダ分余計な無線リソースを消費するという課題がある。【０００７】
プロキシモバイルＩＰ方式は、モバイルＩＰ方式の制御プロトコルを利用しながら、移動端末に特別な機能を要求せず、そのため、無線通信区間でＩＰカプセル化通信を発生させることもないという要求を満たすために検討されている（図７参照）。この具体的な方式としては、以下の非特許文献１に記載されている。【０００８】
図７においては、ＭＡＧ１とＭＡＧ２とが時刻同期を行っていれば、ＭＡＧ１とＭＡＧ２とからＬＭＡに登録要求を出した際に順序制御が行えることを示している。この登録要求の結果、ＭＡＧ−ＬＭＡ間でＩＰトンネルが作成され、ＩＰパケットがカプセル化されて転送される。【０００９】
ＬＭＡから転送されたカプセル化されたＩＰパケットは、ＭＡＧでデカプセル化の処理後、移動端末（ＭＮ）に転送される。移動端末からのパケットは、上記とは逆の手順でＬＭＡに到達する。【００１０】
プロキシモバイルＩＰ方式は、次のように動作する。ホームエージェントと移動端末との間にＭＡＧを配置する。まず、ＭＡＧは移動端末が配下のアクセスネットワークに移動してきたことを検出すると、移動端末に代わりホームエージェントに対してプロキシモバイルＩＰ方式の登録を行う。ここで、気付けアドレスとしてＭＡＧのＩＰアドレスが用いられる。【００１１】
移動端末のホームアドレス宛のＩＰパケットはホームエージェントとＭＡＧとの間に確立されるＩＰカプセル化通信を使ってホームエージェントからＭＡＧに転送される。ＭＡＧは移動端末宛のＩＰパケットを取り出し、ＭＡＧと移動端末との間の無線リンク通信手段を用いて移動端末に転送する。【００１２】
移動端末が別の新たなＭＡＧの配下に移動した際のハンドオーバ処理では、新たなＭＡＧが移動端末の移動を検出してホームエージェントに対してプロキシモバイルＩＰ方式の登録を行う。プロキシモバイルＩＰ方式は、別々のＭＡＧが移動端末の代わりにホームエージェントに登録する方式であるため、登録通知メッセージの送信元が複数存在することになる。【００１３】
それぞれのＭＡＧとホームエージェントとの間の伝送遅延が異なるために、古いＭＡＧと新しいＭＡＧとからの登録通知メッセージの順番が逆転してホームエージェントに到達する場合があり、古いＭＡＧからの登録通知メッセージがあとに届くと、新しいＭＡＧにＩＰパケットが到達しなくなるという課題が知られている。【００１４】
モバイルＩＰ方式では、移動端末がシーケンス番号を登録通知メッセージに付与することにより、順序逆転問題を回避しているが、プロキシモバイルＩＰ方式では、全域的にシーケンス番号を管理する仕組みが実現できないため、順序逆転問題が課題となっている。【００１５】
そこで、ＩＥＴＦのＮＥＴＬＭＭ  ＷＧ（Ｎｅｔｗｏｒｋ−Ｂａｓｅｄ  Ｌｏｃａｌｉｚｅｄ  Ｍｏｂｉｌｉｔｙ  Ｍａｎａｇｅｍｅｎｔ  Ｗｏｒｋｉｎｇ  Ｇｒｏｕｐ）では、登録通知メッセージの順序判定を行うためにいくつかの解決方法が検討されている。下記の非特許文献２には、具体的な５つの解決方法案が提案されている。【００１６】
第１の解決方法案では、複数のＭＡＧが時刻サーバを使って時刻同期をしておき、登録通知メッセージに時刻情報を付加する。ホームエージェントは登録通知メッセージの時刻情報を基に順序判定を行う。これには高精度の時間同期が必要になるという課題がある。【００１７】
第２の解決方法案では、新しいＭＡＧからの登録通知メッセージを処理した後、一定時間内に古いＭＡＧからの登録通知メッセージが到達するかどうかを検出し、１回目だけ古いＭＡＧからの要求を破棄する。これには古いＭＡＧの再送タイマ処理に依存していて処理時間がかかるという課題と、新しいＭＡＧからの登録通知メッセージであれば優先してしまうという課題とがある。【００１８】
第３の解決方法案では、第２の解決方法案の古いＭＡＧの再送処理に依存しているという課題を解決するために、新しいＭＡＧからの登録通知メッセージを処理した後、一定時間内に古いＭＡＧからの登録通知メッセージが到達するかどうかを検出し、１回目だけホームエージェントが明示的にエラーを返し、古いＭＡＧは移動端末が配下に接続しているならば再度登録を行う。これには新しいＭＡＧからの登録通知メッセージであれば優先してしまうという課題が残っている。【００１９】
第４の解決方法案では、新しいＭＡＧが無線リンク確立処理時に最初の登録を行い、最初の登録が成功した後にもう一度登録を行うという、２回の登録通知メッセージを送信する方法である。これは余計な登録パケットが必要になるという課題がある。【００２０】
第５の解決方法案では、新しいＭＡＧからの最初の登録通知メッセージに対してホームエージェントがエラーで応答し、同時に正しいシーケンス番号を新しいＭＡＧに通知する。新しいＭＡＧは再度正しいシーケンス番号を用いて登録を行う。これは余計な登録パケットが必要になるという課題がある。【００２１】
【非特許文献１】“Ｐｒｏｘｙ  Ｍｏｂｉｌｅ  ＩＰｖ６  ｄｒａｆｔ−ｉｅｔｆ  −ｎｅｔｌｍｍ−ｐｒｏｘｙｍｉｐ６−０１．ｔｘｔ”（ＮＥＴＬＭＭ  ＷＧ，Ｊｕｎｅ  １９，２００７）（ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｎｅｔｌｍｍ−ｐｒｏｘｙｍｉｐ６−０１．ｔｘｔ）
【非特許文献２】“［ｎｅｔｌｍｍ］  Ｉｓｓｕｅ：Ｔｉｍｅｓｔａｍｐ  ｖｓ  Ｓｅｑｕｅｎｃｅ  Ｎｕｍｂｗｅ  ｂａｓｅｄ  ｌｏｇｉｃ”（ｈｔｔｐ：／／ｗｗｗ１．ｉｅｔｆ．ｏｒｇ／ｍａｉｌ−ａｒｃｈｉｖｅ／ｗｅｂ／ｎｅｔｌｍｍ／ｃｕｒｒｅｎｔ／ｍｓｇ０２１０６．ｈｔｍｌ）
【発明の開示】
【発明が解決しようとする課題】
【００２２】
非特許文献１及び２の開示事項は、本書に引用をもって繰り込み記載されているものとする。以下の分析は、本発明によって与えられたものである。
本発明に関連するプロキシモバイルＩＰ方式では、ホームエージェントでＭＡＧから送信された登録通知メッセージの順序判定ができないため、遅れて到達した登録通知メッセージが最後に処理され、古いＭＡＧ宛の登録を行っている。【００２３】
そのため、本発明に関連するプロキシモバイルＩＰ方式では、移動端末の移動により複数のＭＡＧ間をハンドオーバする際に、それぞれのホームエージェントまでの通信経路の伝送遅延が異なり、新しいＭＡＧとホームエージェントとの間の伝送遅延が、それぞれのＭＡＧが登録通知メッセージを送信した時刻差の分だけ古いＭＡＧとホームエージェントとの間の伝送遅延よりも長いと、新しいＭＡＧに移動した移動端末が通信できなくなる（図８のｅ１〜ｅ４参照）。【００２４】
図８においては、無線通信区間Ｒａｄｉｏ１と無線通信区間Ｒａｄｉｏ２との切替時刻差をｔとし、無線通信区間Ｒａｄｉｏ１とＭＡＧ１との間の伝送時間をＲＭ１とし、無線通信区間Ｒａｄｉｏ２とＭＡＧ２との間の伝送時間をＲＭ２とし、ＭＡＧ１とＬＭＡとの間の伝送時間をＭＬ１とし、ＭＡＧ２とＬＭＡとの間の伝送時間をＭＬ２とした場合の登録通知メッセージの順序逆転の発生を示している。【００２５】
最初、ＭＮは無線通信区間Ｒａｄｉｏ１を使って通信を行っており、ｔ時間後に無線通信区間Ｒａｄｉｏ２を使って通信を開始する。この場合、パターンｄ１では、無線通信区間Ｒａｄｉｏ１とＭＡＧ１との間の伝送時間ＲＭ１が、無線通信区間Ｒａｄｉｏ２とＭＡＧ２との間の伝送時間ＲＭ２とｔ時間との和よりも大きければ［ＲＭ１＞（ＲＭ２＋ｔ），ＭＬ１＝ＭＬ２］、登録通知メッセージの順序逆転が発生することを示している。【００２６】
パターンｄ２では、無線通信区間Ｒａｄｉｏ１とＭＡＧ１との間の伝送時間ＲＭ１が、無線通信区間Ｒａｄｉｏ２とＭＡＧ２との間の伝送時間ＲＭ２とｔ時間との和よりも小さいため［ＲＭ１＜（ＲＭ２＋ｔ），ＭＬ１＝ＭＬ２］、登録通知メッセージの順序逆転が発生しないことを示している。【００２７】
パターンｄ３では、ＭＡＧ１とＬＭＡとの間の伝送時間ＭＬ１が、ＭＡＧ２とＬＭＡとの間の伝送時間ＭＬ２とｔ時間との和よりも大きければ［ＲＭ１＝ＲＭ２，ＭＬ１＞（ＭＬ２＋ｔ）］、登録通知メッセージの順序逆転が発生することを示している。【００２８】
パターンｄ４では、ＭＡＧ１とＬＭＡとの間の伝送時間ＭＬ１が、ＭＡＧ２とＬＭＡとの間の伝送時間ＭＬ２とｔ時間との和よりも小さいため［ＲＭ１＝ＲＭ２，ＭＬ１＜（ＭＬ２＋ｔ）］、登録通知メッセージの順序逆転が発生しないことを示している。【００２９】
ここで、ＭＡＧ１とＭＡＧ２との時刻同期が正確であれば、パターンｄ３における登録通知メッセージの順序逆転を検出することができるが、パターンｄ１における登録通知メッセージの順序逆転を検出することはできない。【００３０】
また、本発明に関連するプロキシモバイルＩＰ方式では、ＭＡＧの時間同期を行っても完全に時間同期させることができなければ、それぞれのＭＡＧが登録通知メッセージを送信した時刻差が極短時間で発生した場合に問題を避けられないため、上記の第１の解決方法案で、ＭＡＧの時刻情報を使っても順序判定問題を解決できない。【００３１】
そこで、本発明の目的は上記の問題点を解消し、高精度のＭＡＧ間の時刻同期を必要とせずに、移動端末のＭＡＧ切替え時にＬＭＡで登録通知メッセージの順序逆転を簡単に検出することができるプロキシモバイルＩＰシステム、アクセスゲートウェイ、モビリティアンカー及びそれらに用いる登録通知メッセージ順序判定方法を提供することにある。
【課題を解決するための手段】
【００３２】
本発明の第１の視点によれば、下記手段により登録通知メッセージ順序判定を行うプロキシモバイルＩＰ（Ｉｎｔｅｒｎｅｔ  Ｐｒｏｔｏｃｏｌ）システム及びその構成機器が提供される。移動端末は、プロキシモバイルＩＰ通信におけるアクセス認証の際に、アクセスゲートウェイ側に、自装置側で管理している時刻情報を通知する時刻管理・通知手段を備える。アクセスゲートウェイは、前記プロキシモバイルＩＰ通信におけるプロキシモバイルＩＰ登録を行う際に、モビリティアンカー側に、前記移動端末から受信した時刻情報を登録通知メッセージに載せて通知する時刻情報取得・管理手段を備える。前記モビリティアンカーは、プロキシモバイルＩＰ登録を行うプロキシモバイルＩＰ登録手段と、該プロキシモバイルＩＰ登録手段に対し、前記時刻情報を含む登録通知メッセージを通知する時刻情報取得・管理手段を備える。【００３３】
本発明の第２の視点によれば、下記手順によりプロキシモバイルＩＰ（Ｉｎｔｅｒｎｅｔ  Ｐｒｏｔｏｃｏｌ）通信における登録通知メッセージの順序判定を行う登録通知メッセージ順序判定方法が提供される。まず、アクセス認証の際に、移動端末が、アクセスゲートウェイ側に、自装置側で管理している時刻情報を通知する。前記プロキシモバイルＩＰ登録を行う際に、アクセスゲートウェイが、モビリティアンカー側に、前記移動端末から受信した時刻情報を登録通知メッセージに載せて通知する。前記登録通知メッセージを受信したモビリティアンカーが、プロキシモバイルＩＰ登録を行うプロキシモバイルＩＰ登録手段に対し、前記時刻情報を含む登録通知メッセージを通知する。【００３４】
本発明の第３の視点によれば、プロキシモバイルＩＰシステムの移動端末、アクセスゲートウェイ及びモビリティアンカーがそれぞれ下記手段を備えて、通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行う。
前記移動端末は、自装置の時刻情報を管理しかつ前記プロキシモバイルＩＰ通信におけるアクセス認証を行うアクセス認証機能と連携した時刻管理・通知手段を備える。
前記アクセスゲートウェイは、前記移動端末の時刻情報を取得しかつ前記アクセス認証機能及び前記登録通知メッセージにて前記プロキシモバイルＩＰ通信におけるプロキシモバイルＩＰ登録を行うプロキシモバイルＩＰ登録手段と連携した時刻情報取得・管理手段を備える。
前記モビリティアンカーは、前記移動端末の時刻情報を取得しかつ前記登録通知メッセージにて前記プロキシモバイルＩＰ通信におけるプロキシモバイルＩＰ登録を行うプロキシモバイルＩＰ登録手段と連携した時刻情報取得・管理手段を備える。
前記アクセスゲートウェイは、前記プロキシモバイルＩＰ登録手段にてアクセス認証手順によって前記移動端末から取得した時刻情報を前記登録通知メッセージに載せて前記モビリティアンカーに通知している。【００３５】
本発明の第４の視点によれば、上記時刻情報取得・管理手段を備えるアクセスゲートウェイが提供される。【００３６】
本発明の第５の視点によれば、上記時刻情報取得・管理手段を備えるモビリティアンカーが提供される。【００３７】
本発明の第６の視点によれば、上記時刻管理・通知手段を備える移動端末が提供される。【００３８】
本発明の第７の視点によれば、プロキシモバイルＩＰシステムの移動端末、アクセスゲートウェイ及びモビリティアンカーがそれぞれ下記手段を備えて、通信ネットワークを介して移動端末の位置管理を行うプロキシモバイルＩＰ通信におけるアクセスゲートウェイからの登録通知メッセージの順序判定をモビリティアンカーにて行う登録通知メッセージ順序判定方法が提供される。
前記移動端末に、自装置の時刻情報を管理しかつ前記プロキシモバイルＩＰ通信におけるアクセス認証を行うアクセス認証機能と連携した時刻管理・通知手段を設ける。
前記アクセスゲートウェイに、前記移動端末の時刻情報を取得しかつ前記アクセス認証機能及び前記登録通知メッセージにて前記プロキシモバイルＩＰ通信におけるプロキシモバイルＩＰ登録を行うプロキシモバイルＩＰ登録手段と連携した時刻情報取得・管理手段を設ける。
前記モビリティアンカーに、前記移動端末の時刻情報を取得しかつ前記登録通知メッセージにて前記プロキシモバイルＩＰ通信におけるプロキシモバイルＩＰ登録を行うプロキシモバイルＩＰ登録手段と連携した時刻情報取得・管理手段を設ける。
前記アクセスゲートウェイが、前記プロキシモバイルＩＰ登録手段にてアクセス認証手順によって前記移動端末から取得した時刻情報を前記登録通知メッセージに載せて前記モビリティアンカーに通知している。
【発明の効果】
【００３９】
本発明は、上記のような構成及び動作とすることで、高精度のＭＡＧ間の時刻同期を必要とせずに、移動端末のＭＡＧ切替え時にＬＭＡで登録通知メッセージの順序逆転を簡単に検出することができるという効果が得られる。
【図面の簡単な説明】
【００４０】
【図１】本発明の実施の形態によるプロキシモバイルＩＰシステムの構成例の構成を示すブロック図である。
【図２】図１のＬＭＡ〜ＭＮのルーティングとＭＡＧ〜ＭＮのカプセル化の階層とを示す図である。
【図３】本発明の実施の形態による初期接続時の動作手順を示すシーケンスチャートである。
【図４】図１のＬＭＡにおける順序判定動作を示すシーケンスチャートである。
【図５】図５は本発明の実施の形態による移動端末の時刻情報がリセットした場合の動作を説明するための図である。
【図６】本発明に関連するプロキシモバイルＩＰ方式のシステムの構成例を示すブロック図である。
【図７】ＭＡＧ間の時刻同期を用いた方式の概要を示す図である。
【図８】ＭＡＧ  間の時刻同期を用いた方式の問題を説明するための図である。
【符号の説明】
【００４１】
１  ＭＮ
２  ＭＡＧ
３  ＬＭＡ
４  無線ＡＰ
１１  無線通信部
１２，２１  リンク層制御部
１３  ＴＣＰ／ＩＰ部
１４  時刻管理・通知部
２２，３１  ＰＭＩＰ登録部
２３，３２  時刻情報取得・管理部
２４，３３  ルーティング部
２５，３４  パケットカプセル化部
【発明を実施するための最良の形態】
【００４２】
次に、本発明の実施の形態について図面を参照して説明する。図１は本発明の実施の形態によるプロキシモバイルＩＰシステムの構成例の構成を示すブロック図である。図１において、本発明の実施の形態によるプロキシモバイルＩＰシステムは、ＭＮ（Ｍｏｂｉｌｅ  Ｎｏｄｅ）１と、ＭＡＧ（Ｍｏｂｉｌｅ  Ａｃｃｅｓｓ  Ｇａｔｅｗａｙ：モバイルアクセスゲートウェイ）２と、ＬＭＡ（Ｌｏｃａｌｉｚｅｄ  Ｍｏｂｉｌｉｔｙ  Ａｎｃｈｏｒ：ローカライズドモビリティアンカー）３と、無線ＡＰ（Ａｃｃｅｓｓ  Ｐｏｉｎｔ）４とから構成されている。【００４３】
ＭＮ１は、無線通信部１１と、リンク層制御部１２と、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）部１３と、時刻管理・通知部１４とから構成されている。【００４４】
ＭＡＧ２は、リンク層制御部２１と、ＰＭＩＰ（Ｐｒｏｘｙ  Ｍｏｂｉｌｅ  ＩＰ）登録部２２と、時刻情報取得・管理部２３と、ルーティング部２４と、パケットカプセル化部２５とから構成されている。【００４５】
ＬＭＡ３は、ＰＭＩＰ登録部３１と、時刻情報取得・管理部３２と、パケットカプセル化部３３と、ルーティング部３４とから構成されている。【００４６】
本発明の実施の形態では、上述した本発明に関連するプロキシモバイルＩＰ方式の有する不都合を改善し、特にプロキシモバイルＩＰ通信における時刻情報を使った登録通知メッセージの順序判定において、移動端末（ＭＮ１）が移動端末自身の時刻情報をＭＡＧ２に通知することによって順序判定を行うことを特徴としている。【００４７】
本発明の実施の形態では、ＭＮ１のリンク層制御部１２を拡張して時刻管理・通知部１４を持たせ、ＭＡＧ２のリンク層制御部２１及びＰＭＩＰ登録部２２を拡張して時刻情報取得・管理部２３を持たせ、ＬＭＡ３のＰＭＩＰ登録部３１を拡張して時刻情報取得・管理部３２を持たせている。【００４８】
尚、本発明の実施の形態によるプロキシモバイルＩＰシステムでは、図示していないが、上記の構成のＭＮ１と、ＭＡＧ２と、ＬＭＡ３と、無線ＡＰ４とによって、図６に示す本発明に関連するプロキシモバイルＩＰ方式のシステムと同様の構成をとっている。この場合、２台のＭＡＧ２をＭＡＧ（１）２−１，ＭＡＧ（２）２−２とする。【００４９】
図２は図１のＬＭＡ３〜ＭＮ１のルーティングとＭＡＧ２〜ＭＮ１のカプセル化の階層とを示す図である。図２において、本実施の形態では、ＭＮ１とＭＡＧ（１）２−１及びＭＡＧ（２）２−２との間のリンク層認識手順（Ｌ２認証）でＭＮ１の時刻情報［時刻情報ｗ／ＴMN1 ，ｗ／ＴMN2 ］をＭＡＧ（１）２−１及びＭＡＧ（２）２−２にそれぞれ通知し、その時刻情報［時刻情報ｗ／ＴMN1 ，ｗ／ＴMN2 ］がＭＡＧ（１）２−１及びＭＡＧ（２）２−２各々からＬＭＡ３への登録通知メッセージに載せて送られているので、ＭＡＧ（１）２−１とＭＡＧ（２）２−２との間の時刻同期は重要ではない。【００５０】
この後、本実施の形態では、図７に示す動作と同様に、上記の登録要求の結果、ＭＡＧ−ＬＭＡ間でＩＰトンネルが作成され、ＩＰパケットがカプセル化されて転送される。ＬＭＡから転送されたカプセル化されたＩＰパケットは、ＭＡＧでデカプセル化の処理後、移動端末（ＭＮ）に転送される。移動端末からのパケットは、上記とは逆の手順でＬＭＡに到達する。【００５１】
図３は本発明の実施の形態による初期接続時の動作手順を示すシーケンスチャートである。これら図１〜図３を参照して本発明の実施の形態によるプロキシモバイルＩＰシステムの動作について説明する。【００５２】
移動端末（ＭＮ１）がアクセス認証を開始すると（図３のａ１）、ユーザ認証のためのＥＡＰ（Ｅｘｔｅｎｓｉｂｌｅ  Ａｕｔｈｅｎｔｉｃａｔｉｏｎ  Ｐｒｏｔｏｃｏｌ）−ＴＴＬＳ（Ｔｕｎｎｅｌｌｅｄ  Ｔｒａｎｓｐｏｒｔ  Ｌａｙｅｒ  Ｓｅｃｕｒｉｔｙ）やＥＡＰ−ＰＥＡＰ（Ｐｒｏｔｅｃｔｅｄ  Ｅｘｔｅｎｓｉｂｌｅ  Ａｕｔｈｅｎｔｉｃａｔｉｏｎ  Ｐｒｏｔｏｃｏｌ）等の既存の認証手順が動作する（図３のａ２）。これらの認証手順は既知であるので、その説明を省略する。【００５３】
本実施の形態では、既存ユーザ認証の後で、アクセス認証終了の前に、ＭＡＧ２の時刻情報取得・管理部２３がＭＮ１に対して本実施の形態で定義するＥＡＰ  Ｒｅｑｕｅｓｔ／ＥＡＰ−Ｔｙｐｅ＝Ｔｉｍｅｓｔａｍｐを送信し、ＭＮ１が管理している時刻情報を要求する（図３のａ３）。【００５４】
時刻管理・通知部１４を持つＭＮ１は、ＥＡＰ  Ｒｅｑｕｅｓｔ／ＥＡＰ−Ｔｙｐｅ＝Ｔｉｍｅｓｔａｍｐを受信すると、ＭＮ１が管理している時刻情報（端末時刻ＴMN）をＥＡＰ  Ｒｅｓｐｏｎｓｅ／ＥＡＰ−Ｔｙｐｅ＝Ｔｉｍｅｓｔａｍｐに載せて応答する（図３のａ４）。【００５５】
ＭＡＧ２はＭＮ１の時刻情報を取得すると、ＥＡＰ  ＳｕｃｃｅｓｓをＭＮ１に送信し（図３のａ５）、アクセス認証を終了する（図３のａ６）。その後、ＭＡＧ２は登録通知メッセージであるＰｒｏｘｙ  Ｂｉｎｄｉｎｇ  ＵｐｄａｔｅにＭＮ１の時刻情報（ｗ／ＴMN）を載せ、ＬＭＡ３に送信する（図３のａ７）。【００５６】
図４は図１のＬＭＡ３における順序判定動作を示すシーケンスチャートである。図４においては、ＭＮ１が管理している時刻情報（端末時刻ＴMN）が同一で、無線通信区間Ｒａｄｉｏ１から無線通信区間Ｒａｄｉｏ２へのハンドオーバ（Ｈ．Ｏ．）が行われる場合の動作を示している。【００５７】
ＬＭＡ３は、図４に示すように、上記のＰｒｏｘｙ  Ｂｉｎｄｉｎｇ  Ｕｐｄａｔｅの時刻情報（ｗ／ＴMN）を基に順序逆転が発生した場合の登録制御を行う。ここで、無線通信区間Ｒａｄｉｏ１と無線通信区間Ｒａｄｉｏ２との切替時刻差をｔとし、無線通信区間Ｒａｄｉｏ１とＭＡＧ（１）２−１との間の伝送時間をＲＭ１とし、無線通信区間Ｒａｄｉｏ２とＭＡＧ（２）２−２との間の伝送時間をＲＭ２とし、ＭＡＧ（１）２−１とＬＭＡ３との間の伝送時間をＭＬ１とし、ＭＡＧ（２）２−２とＬＭＡ３との間の伝送時間をＭＬ２としている。【００５８】
最初、ＭＮ１は無線通信区間Ｒａｄｉｏ１を使って通信を行っており、ｔ時間後に無線通信区間Ｒａｄｉｏ２を使って通信を開始する。この場合、パターンｂ１では、無線通信区間Ｒａｄｉｏ１とＭＡＧ（１）２−１との間の伝送時間ＲＭ１が、無線通信区間Ｒａｄｉｏ２とＭＡＧ（２）２−２との間の伝送時間ＲＭ２とｔ時間との和よりも大きければ［ＲＭ１＞（ＲＭ２＋ｔ），ＭＬ１＝ＭＬ２］、登録通知メッセージの順序逆転が発生する。【００５９】
しかしながら、ＬＭＡ３は、ＭＡＧ（１）２−１及びＭＡＧ（２）２−２各々からの登録通知メッセージに載せて送られてくるＭＮ１の時刻情報［時刻情報ｗ／ＴMN1 ，ｗ／ＴMN2 ］を比較し、ｗ／ＴMN1 ＜ｗ／ＴMN2 という比較結果が得られるので、無線通信区間Ｒａｄｉｏ２を選択することとなる。【００６０】
パターンｂ２では、無線通信区間Ｒａｄｉｏ１とＭＡＧ１との間の伝送時間ＲＭ１が、無線通信区間Ｒａｄｉｏ２とＭＡＧ２との間の伝送時間ＲＭ２とｔ時間との和よりも小さいため［ＲＭ１＜（ＲＭ２＋ｔ），ＭＬ１＝ＭＬ２］、登録通知メッセージの順序逆転が発生しない。【００６１】
パターンｂ３では、ＭＡＧ１とＬＭＡとの間の伝送時間ＭＬ１が、ＭＡＧ２とＬＭＡとの間の伝送時間ＭＬ２とｔ時間との和よりも大きければ［ＲＭ１＝ＲＭ２，ＭＬ１＞（ＭＬ２＋ｔ）］、登録通知メッセージの順序逆転が発生する。【００６２】
しかしながら、ＬＭＡ３は、ＭＡＧ（１）２−１及びＭＡＧ（２）２−２各々からの登録通知メッセージに載せて送られてくるＭＮ１の時刻情報［時刻情報ｗ／ＴMN1 ，ｗ／ＴMN2 ］を比較し、ｗ／ＴMN1 ＜ｗ／ＴMN2 という比較結果が得られるので、無線通信区間Ｒａｄｉｏ２を選択することとなる。【００６３】
パターンｂ４では、ＭＡＧ１とＬＭＡとの間の伝送時間ＭＬ１が、ＭＡＧ２とＬＭＡとの間の伝送時間ＭＬ２とｔ時間との和よりも小さいため［ＲＭ１＝ＲＭ２，ＭＬ１＜（ＭＬ２＋ｔ）］、登録通知メッセージの順序逆転が発生しない。【００６４】
図５は本発明の実施の形態による移動端末の時刻情報がリセットした場合の動作を説明するための図である。以下、図５を参照して、移動端末（ＭＮ１）の時刻がリセットされた場合の処理について説明する。ここで、端末時刻のリセット前の端末時刻ＴMN1 がＬＭＡ３に保存されているものとする（図５のｃ１〜ｃ３）。【００６５】
端末時刻のリセット後、不運にもＬＭＡ３に保存されている時刻よりも古い時刻に変わってしまった場合、時刻情報ＴMN2 の通知で示したように、ＬＭＡ３においては時刻が逆転するため、登録に失敗する（図５のｃ４〜ｃ６）。ここで、移動端末の認証処理は成功しているので、ＬＭＡ３は時刻情報ＴMN2 を保存し、ＭＡＧ２にエラーを通知する（図５のｃ７）。【００６６】
エラーを受信したＭＡＧ２は、再度ＭＮ１から時刻情報取得するために再認証処理を開始する（図５のｃ８）。ＭＡＧ２は、ＥＡＰ  Ｒｅｑｕｅｓｔ／ＩｄｅｎｔｉｔｙをＭＮ１に送信し（図５のｃ９）、ＥＡＰ  Ｒｅｓｐｏｎｓｅ／Ｉｄｅｎｔｉｔｙを受信する（図５のｃ１０）。【００６７】
その後、ＭＡＧ２は、ＥＡＰ  Ｒｅｑｕｅｓｔ／ＥＡＰ−Ｔｙｐｅ＝ＴｉｍｅｓｔａｍｐをＭＮ１に送信し（図５のｃ１１）、ＭＮ１の時刻情報ＴMN3 を取得する（図５のｃ１２〜ｃ１４）。ＭＡＧ２は、時刻情報ＴMN3 を使ってＬＭＡ３にＰｒｏｘｙ  Ｂｉｎｄｉｎｇ  Ｕｐｄａｔｅを送信する（図５のｃ１５）。ＬＭＡ３はＴMN3 ＞ＴMN2 なので、登録処理に成功し、時刻情報ＴMN3 を保存して登録処理を終了する。【００６８】
このように、本実施の形態では、リンク層の認証手順においてＭＮ１の時刻情報をＭＡＧ２が取得できるため、ＭＮ１は既存のＴＣＰ／ＩＰスタックを修正する必要がない。また、本実施の形態では、ＭＡＧ２とＬＭＡ３との機能追加によって上記の課題が解決するため、ＩＥＴＦで検討されているＭＡＧ２〜ＬＭＡ３間のプロキシモバイルＩＰプロトコルを修正する必要がない。【００６９】
したがって、本実施の形態では、移動端末（ＭＮ１）が管理している時刻情報を使ってＭＡＧ２が登録通知メッセージを構成することができるため、ＭＮ１〜ＬＭＡ３間で時刻同期のずれが起きないため、高精度のＭＡＧ２間の時刻同期を必要とせずに、移動端末（ＭＮ１）のＭＡＧ２の切替え時にＬＭＡ３で登録通知メッセージの順序逆転を簡単に検出することができる。【００７０】
また、本実施の形態では、移動端末（ＭＮ１）〜ＭＡＧ２間のリンク層プロトコルでＭＮ１が管理している時刻情報をＭＡＧ２に通知し、ＭＡＧ２が登録通知メッセージを構成するため、ＴＣＰ／ＩＰプロトコルスタックやＭＡＧ２〜ＬＭＡ３間のプロキシモバイルＩＰプロトコルを修正せずに、ＭＡＧ２の切替え処理時の登録通知メッセージの到達順序の逆転問題を解決することができる。【００７１】
上記のように、本発明は、移動端末（ＭＮ１）のアクセス認証に関わるリンク層制御部１２に時刻管理・通知部１４を備え、ＭＡＧ２のリンク層制御部２１を介してＭＡＧ２の時刻情報取得・管理部２３がＭＮ１の時刻情報を取得するとともに、ＭＡＧ２のＰＭＩＰ登録部２２がＭＮ１の時刻情報を登録通知メッセージに載せてＬＭＡ３に通知し、ＬＭＡ３がＭＮ１の時刻情報を基に接続制御を行っているので、高精度のＭＡＧ２間の時刻同期を必要とせずに、移動端末（ＭＮ１）のＭＡＧ２切替え時にＬＭＡ３で登録通知メッセージの順序逆転を簡単に検出することができるという効果を奏する。【００７２】
尚、本発明では、ＭＮ１からＬＭＡ２に通知される時刻情報として、狭義の時刻情報ではなく、接続回数を意味するシーケンス番号を通知するようにしてもよく、これに限定されない。
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2009031616.tif 000003
【図２】
2009031616.tif 000004
【図３】
2009031616.tif 000005
【図４】
2009031616.tif 000006
【図５】
2009031616.tif 000007
【図６】
2009031616.tif 000008
【図７】
2009031616.tif 000009
【図８】
2009031616.tif 000010
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
プロキシモバイルＩＰ（Ｉｎｔｅｒｎｅｔ  Ｐｒｏｔｏｃｏｌ）通信におけるアクセス認証の際に、アクセスゲートウェイ側に、自装置側で管理している時刻情報を通知する時刻管理・通知手段を備える移動端末と、
前記プロキシモバイルＩＰ通信におけるプロキシモバイルＩＰ登録を行う際に、モビリティアンカー側に、前記移動端末から受信した時刻情報を登録通知メッセージに載せて通知する時刻情報取得・管理手段を備えるアクセスゲートウェイと、
プロキシモバイルＩＰ登録を行うプロキシモバイルＩＰ登録手段に対し、前記時刻情報を含む登録通知メッセージを通知する時刻情報取得・管理手段を備えるモビリティアンカーと、を含むプロキシモバイルＩＰシステム。
【請求項２】
前記モビリティアンカーは、前記アクセスゲートウェイから前記登録通知メッセージに載せて通知された時刻情報を基に前記登録通知メッセージの順序判定を行う請求項１記載のプロキシモバイルＩＰシステム。
【請求項３】
前記モビリティアンカーは、保存している時刻情報よりも古い時刻情報の登録通知メッセージを受信した場合、今回の時刻情報を保存すると同時に、エラーを前記アクセスゲートウェイに通知し、前記移動端末の時刻情報を再取得する請求項１または請求項２記載のプロキシモバイルＩＰシステム。
【請求項４】
前記移動端末は、前記時刻情報の代わりに接続回数を示すシーケンス番号を通知する請求項１から請求項３のいずれか記載のプロキシモバイルＩＰシステム。
【請求項５】
プロキシモバイルＩＰ通信におけるプロキシモバイルＩＰ登録を行う際に、モビリティアンカー側に、移動端末から受信した時刻情報を登録通知メッセージに載せて通知する時刻情報取得・管理手段を備えるアクセスゲートウェイ。
【請求項６】
（削除）
【請求項７】
（削除）
【請求項８】
（削除）
【請求項９】
（削除）
【請求項１０】
（削除）
【請求項１１】
プロキシモバイルＩＰ（Ｉｎｔｅｒｎｅｔ  Ｐｒｏｔｏｃｏｌ）通信におけるアクセス認証の際に、移動端末が、アクセスゲートウェイ側に、自装置側で管理している時刻情報を通知し、
前記プロキシモバイルＩＰ通信におけるプロキシモバイルＩＰ登録を行う際に、前記アクセスゲートウェイが、モビリティアンカー側に、前記移動端末から受信した時刻情報を登録通知メッセージに載せて通知し、
前記モビリティアンカーが、プロキシモバイルＩＰ登録を行うプロキシモバイルＩＰ登録手段に対し、前記時刻情報を含む登録通知メッセージを通知する登録通知メッセージ順序判定方法。
【請求項１２】
前記モビリティアンカーは、前記アクセスゲートウェイから前記登録通知メッセージに載せて通知された時刻情報を基に前記登録通知メッセージの順序判定を行う請求項１１記載の登録通知メッセージ順序判定方法。
【請求項１３】
前記モビリティアンカーは、保存している時刻情報よりも古い時刻情報の登録通知メッセージを受信した場合、今回の時刻情報を保存すると同時に、エラーを前記アクセスゲートウェイに通知し、前記移動端末の時刻情報を再取得する請求項１１または請求項１２記載の登録通知メッセージ順序判定方法。
【請求項１４】
前記移動端末が、前記時刻情報の代わりに接続回数を示すシーケンス番号を通知する請求項１１から請求項１３のいずれか記載の登録通知メッセージ順序判定方法。
【請求項１５】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムであって、前記移動端末は、自装置の時刻情報を管理しかつ前記プロキシモバイルＩＰ通信におけるアクセス認証を行うアクセス認証機能と連携した時刻管理・通知手段を有し、
前記アクセスゲートウェイは、前記移動端末の時刻情報を取得しかつ前記アクセス認証機能及び前記登録通知メッセージにて前記プロキシモバイルＩＰ通信におけるプロキシモバイルＩＰ登録を行うプロキシモバイルＩＰ登録手段と連携した時刻情報取得・管理手段を有し、
前記モビリティアンカーは、前記移動端末の時刻情報を取得しかつ前記登録通知メッセージにて前記プロキシモバイルＩＰ通信におけるプロキシモバイルＩＰ登録を行うプロキシモバイルＩＰ登録手段と連携した時刻情報取得・管理手段を有し、
前記アクセスゲートウェイは、前記プロキシモバイルＩＰ登録手段にてアクセス認証手順によって前記移動端末から取得した時刻情報を前記登録通知メッセージに載せて前記モビリティアンカーに通知することを特徴とするプロキシモバイルＩＰシステム。
【請求項１６】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムに用いる登録通知メッセージ順序判定方法であって、
前記移動端末に、自装置の時刻情報を管理しかつ前記プロキシモバイルＩＰ通信におけるアクセス認証を行うアクセス認証機能と連携した時刻管理・通知手段を設け、
前記アクセスゲートウェイに、前記移動端末の時刻情報を取得しかつ前記アクセス認証機能及び前記登録通知メッセージにて前記プロキシモバイルＩＰ通信におけるプロキシモバイルＩＰ登録を行うプロキシモバイルＩＰ登録手段と連携した時刻情報取得・管理手段を設け、
前記モビリティアンカーに、前記移動端末の時刻情報を取得しかつ前記登録通知メッセージにて前記プロキシモバイルＩＰ通信におけるプロキシモバイルＩＰ登録を行うプロキシモバイルＩＰ登録手段と連携した時刻情報取得・管理手段を設け、
前記アクセスゲートウェイが、前記プロキシモバイルＩＰ登録手段にてアクセス認証手順によって前記移動端末から取得した時刻情報を前記登録通知メッセージに載せて前記モビリティアンカーに通知することを特徴とする登録通知メッセージ順序判定方法。
【国際調査報告】
2009031616.tif 000011
2009031616.tif 000012
2009031616.tif 000013